(57)【特許請求の範囲】
【請求項１】
換気ファンユニットを屋外に設置するタイプの浴室暖房機を浴室の壁面に取り付けるために、浴室の壁面における前記浴室暖房機の取付領域内に予め設定されている換気穴の正規の形成領域を避けるように、前記浴室の壁面に固定される浴室暖房機の取付板において、
前記換気穴の口径より大きな開口が形成されていることを特徴とする浴室暖房機の取付板。
【請求項２】
浴室の壁面における前記浴室暖房機の取付領域内の左右両側に、前記換気穴の形成領域がそれぞれ確保されるように、その幅及び前記浴室暖房機の取付領域内における固定位置が設定されている請求項１に記載の浴室暖房機の取付板。
【請求項３】
前記浴室の壁面にビス止めするためのビス孔が形成されており、
前記ビス孔が縦長に形成されている請求項１または２に記載の浴室暖房機の取付板。
【発明の詳細な説明】
【０００１】
【発明の属する技術分野】
この発明は、例えば、温水暖房熱源機から供給される温水の熱を利用して浴室内に温風を吹き出すことによって浴室内の暖房を行う浴室暖房機を浴室の壁面に取り付けるための取付板、特に、施工性に優れた浴室暖房機の取付板に関する。
【０００２】
【従来の技術】
浴室内の湿度の高い空気を屋外に排気するための換気ファンが搭載された浴室暖房乾燥機は、通常、取付板を介して浴室の壁面に取り付けた状態で、浴室の外壁に形成した換気穴に挿通固定された換気パイプと換気ファンとを接続すると共に、温水暖房熱源機に接続された温水パイプと熱交換器とを接続する接続チューブや電線類等を換気パイプを通して屋外へ引き出すようになっている。
【０００３】
こういった浴室暖房乾燥機を浴室の壁面に取り付けるための取付板は、図１４（ａ）、（ｂ）に示すように、浴室の壁面にビス止めするための複数のビス孔５１ａが所定位置に形成された基板５１と、この基板５１の上端から僅かに前方側に張り出すようにして上方に突出した左右一対の係止爪５２と、基板５１の下端から前方側に張り出した、ねじ孔５３ａが形成された固定片５３とを備えており、前記基板５１は、図１５に示すように、浴室暖房乾燥機６０に対して、その換気ファンと浴室の外壁を貫通する換気パイプとの接続領域ＣＡまで張り出さないような大きさ及び形状を有している。
【０００４】
なお、図１５における２点鎖線で示す領域は、排気を行わないタイプの浴室暖房乾燥機における接続チューブや電線類を屋外に引き出すための引出穴の形成領域ＰＡを示しており、この取付板５０は、排気を行わないタイプの浴室暖房乾燥機にも使用することができるように、基板５１が接続チューブ等を引き出すための引出穴の形成領域ＰＡにも張り出さないようになっている。
【０００５】
以上のように構成された取付板５０を用いて換気ファンが搭載される浴室暖房乾燥機を浴室の壁面に取り付けるには、まず、図１６（ａ）に示すように、決定された浴室暖房乾燥機の取付領域ＥＡにあわせて浴室の壁面に換気穴を形成し、その換気穴に換気パイプＥＰを挿通固定した後、基板５１をビス止めすることによって、浴室の壁面の所定位置に取付板５０を固定する。続いて、浴室暖房乾燥機６０の背面上部に形成された差込孔６１に係止爪５２を差し込むことによって浴室暖房乾燥機６０を取付板５０に引っかけた状態（図１５参照）で、浴室暖房乾燥機６０の下部を固定片５３にビス止めすると、図１６（ｂ）に示すように、浴室暖房乾燥機６０が取付板５０を介して浴室の壁面に据付固定されるので、その状態で換気ファンの吐出部と換気パイプとを接続すると共に、接続チューブや電線類を換気パイプを通して屋外に引き出すことになる。
【０００６】
また、浴室内に設置される浴室暖房乾燥機に換気ファンを搭載せずに、換気ファンユニットを屋外に別途設置するタイプの浴室暖房乾燥機もあるが、こういった浴室暖房乾燥機の場合には、浴室の壁面との間に数ｍｍ程度の隙間が形成されるように、浴室暖房乾燥機を取付板を介して浴室の壁面に取り付け、その隙間から浴室内の空気を外壁を貫通する換気パイプに導くことになるので、こういったタイプの浴室暖房乾燥機を浴室の壁面に取り付けるための取付板についても、上述した取付板と同様に、浴室の壁面における浴室暖房乾燥機の取付領域に対して予め設定された所定位置を貫通する換気パイプを塞がないような大きさ及び形状を有している。
【０００７】
【発明が解決しようとする課題】
ところで、換気ファンユニットを屋外に設置するタイプの浴室暖房乾燥機は、換気ファンが搭載された浴室暖房乾燥機とは異なり、浴室暖房乾燥機と換気パイプとを接続するわけではないので、換気パイプを通して接続チューブや電線類を屋外に引き出すことができるのであれば、その換気パイプは、基本的に浴室の壁面における浴室暖房乾燥機の取付領域内のどの位置を貫通していてもよいことになる。
【０００８】
従って、換気ファンユニットを屋外に設置するタイプの浴室暖房乾燥機については、例えば、浴室内に既に換気ギャラリ等の換気口が形成されている場合は、外壁に浴室暖房乾燥機用の換気穴を新たに形成することなく、既設の換気口をそのまま利用することが望まれている。
【０００９】
しかしながら、上述したように、浴室暖房乾燥機用の換気穴を浴室の壁面に新たに形成することを前提にその大きさや形状が設計されている取付板を用いて、換気ファンユニットを屋外に設置するタイプの浴室暖房乾燥機を、既設の換気口が形成された浴室の壁面に取り付けようとすると、取付板が既設の換気口を塞がないように、既設の換気口が正規の換気穴の形成領域付近に位置するように、浴室暖房乾燥機の取付位置を設定しなければならないので、例えば、既設の換気口が浴室のコーナー部付近に形成されているため、既設の換気口が正規の換気穴の形成領域付近に位置するように、浴室暖房乾燥機の取付位置をずらそうとしても、ずらすことができないような場合は、結局、浴室の壁面に浴室暖房乾燥機用の換気穴を新たに形成せざるを得ず、既設の換気口を有効に利用することができないといった問題がある。
【００１０】
そこで、この発明の課題は、既設の換気口等を有効に活用しながら浴室暖房乾燥機を取り付けることができる浴室暖房乾燥機の取付板を提供することにある。
【００１１】
【課題を解決するための手段及びその効果】
上記の課題を解決するため、請求項１に係る発明は、換気ファンユニットを屋外に設置するタイプの浴室暖房機を浴室の壁面に取り付けるために、浴室の壁面における前記浴室暖房機の取付領域内に予め設定されている換気穴の正規の形成領域を避けるように、前記浴室の壁面に固定される浴室暖房機の取付板において、前記換気穴の口径より大きな開口が形成されていることを特徴とする浴室暖房機の取付板を提供するものである。
【００１２】
以上のように、この浴室暖房機の取付板には、換気穴の口径より大きな開口が形成されているので、換気ファンユニットを屋外に設置するタイプの浴室暖房機を浴室の壁面に取り付ける際、換気穴の正規の形成領域付近だけでなく、取付板に形成された開口内に換気穴を形成することができるので、換気穴の形成位置の自由度が広がり、浴室暖房機の取付施工性が向上するという効果が得られる。
【００１３】
特に、浴室の壁面に形成された既設の換気口を利用して浴室暖房機を取り付けようとする場合、既設の換気口が換気穴の正規の形成領域付近だけでなく、取付板に形成された開口内に位置するように、浴室暖房機の取付位置を設定することができるので、既設の換気口を換気穴の正規の形成領域付近に位置するように浴室暖房機の取付位置を設定しなければならない従来の取付板を使用する場合に比べて、浴室暖房機の取付位置の自由度が広がり、既設の換気口を有効に活用することが可能となる。
【００１４】
また、この取付板は、複数のピースに分割されているわけではないので、浴室の壁面に取り付ける際の施工性が悪くなることもなく、また、形成された開口の周囲が完全に繋がっているので、十分な強度を確保することができ、取付板を取り扱う際に変形しにくいという効果も得られる。
【００１５】
また、請求項２に係る浴室暖房機の取付板のように、浴室の壁面における前記浴室暖房機の取付領域内の左右両側に、前記換気穴の形成領域がそれぞれ確保されるように、その幅及び前記浴室暖房機の取付領域内における固定位置が設定されているものにあっては、取付板に形成された開口内または取付板を挟んでその左右両側のいずれかの領域内に換気穴を形成することができるので、浴室暖房機の取付施工性がさらに向上すると共に、既設の換気口を利用する場合は、取付板に形成された開口内または取付板を挟んでその左右両側のいずれかの領域内に既設の換気口が位置するように浴室暖房機の取付位置を設定することができるので、浴室暖房機の取付位置の自由度がさらに広がり、既設の換気口を最大限に活用することが可能となる。
【００１６】
また、請求項３に係る浴室暖房機の取付板のように、前記浴室の壁面にビス止めするためのビス孔が形成されており、そのビス孔が縦長に形成されているものにあっては、取付板を浴室の壁面にビス止めする際、そのビス止め位置が多少ずれても、ビス孔の範囲内で取付板を上下方向にずらすことによって、取付板を浴室の壁面に水平に固定することができるので、浴室暖房機を傾きのない状態で浴室の壁面に簡単に取り付けることができるという効果が得られる。
【００１７】
【発明の実施の形態】
以下、実施の形態について図面を参照して説明する。図１（ａ）、（ｂ）は、浴室内の暖房及び乾燥を行う、図２〜図６に示すような浴室暖房乾燥機２０を浴室の壁面に取り付けるための取付板１を示している。
【００１８】
前記浴室暖房乾燥機２０は、図２（ａ）〜（ｃ）に示すように、前記取付板１を介して浴室の壁面に取り付けられる、前面が開放された本体ケース２１と、この本体ケース２１の前面側を覆うフロントカバー２７とを備えており、前記本体ケース２１内には、図３に示すように、屋外に設置される温水暖房熱源機から温水パイプ及び接続チューブＨＣ（図６参照）を介して供給される温水と空気との間で熱交換を行う熱交換器２３と、この熱交換器２３の背面側に設置された循環ファン２４と、この循環ファン２４を駆動させるファン駆動モータ２５と、熱交換器２３の下側に形成される温風吹出口に配設された風向調整用のルーバー２６とが設けられている。
【００１９】
前記本体ケース２１内には、換気ファンは搭載されておらず、屋外に別途設置される換気ファンユニットによって、浴室壁面における浴室暖房乾燥機２０の取付領域内に形成された換気穴を通して浴室内の湿度の高い空気が屋外に排気されるようになっており、本体ケース２１の背面側には、熱交換器２３の温水コイルと温水暖房熱源機に接続された温水パイプとを相互に接続するための接続チューブＨＣ（図６参照）及び浴室暖房乾燥機２０の電源線等の電線類ＥＷを、換気穴を通して屋外に引き出すための引出穴２１ａが形成されている。
【００２０】
また、本体ケース２１の底面には、図４（ａ）に示すように、温風吹出口に対応して背面側を部分的に開放する切欠部２１ｂが形成されており、その切欠部２１ｂを隠蔽するケース底部材２２が着脱自在に取り付けられている（図２（ｃ）参照）。このケース底部材２２は、図５（ａ）〜（ｃ）に示すように、切欠部２１ｂを覆う底面板２２ａの前端から、湾曲した正面板２２ｂが立ち上がっており、底面板２２ａの両端部及び中央部に形成された左右一対の突起２２ｃ、２２ｄを本体ケース２１の底面に形成された係合穴２１ｃ、２１ｄにそれぞれ係合させることによって、本体ケース２１に保持されるようになっている。なお、このケース底部材２２を本体ケース２１に取り付けた状態では、後述する本体ケース２１に対するフロントカバー２７のビス止め部及び取付板１に対する本体ケース２１のビス止め部（図４（ｂ）参照）が正面板２２ｂによって隠蔽されるようになっている。
【００２１】
前記フロントカバー２７は、図２（ａ）〜（ｃ）及び図６（ａ）、（ｂ）に示すように、本体ケース２１にビス止めされるカバー本体２８と、このカバー本体２８の前面を覆うフロントグリル部２９とを有しており、フロントグリル部２９は、カバー本体２８の前面を開放することができるように、アーム２９ａを介してカバー本体２８の上部側に開閉可能に支持されている。なお、フロントグリル部２９を開いた状態では、アーム２９ａに形成された係止突起（図示せず）が、カバー本体２８に形成された係止部（図示せず）に係合することによって、その状態に保持されるようになっている。
【００２２】
前記カバー本体２８には、フロントグリル部２９を閉じたときに隠蔽される部分に、熱交換器２３の前面側を開放する複数の空気吸込用開口２８ａが形成されていると共に、フロントグリル部２９を開いたときに、熱交換器２３の側方に配置された、接続チューブＨＣの接続作業等の種々の作業を行うための作業スペースを前面側に開放する作業用開口２８ｂが形成されている。
【００２３】
前記取付板１は、図１（ａ）、（ｂ）に示すように、浴室の壁面にビス止めされる基板１１と、この基板１１の上端から僅かに前方側に張り出すようにして上方に突出した左右一対の係止爪１２と、基板１１の下端から前方側に張り出したネジ孔１３ａを有する固定片１３とを備えており、図７に示すように、浴室の壁面に固定された取付板１の係止爪１２を、浴室暖房乾燥機２０の本体ケース２１の背面上部に形成された差込穴２１ｅに差し込んだ状態で、固定片１３を本体ケース２１の下端部にビス止めすることによって、浴室暖房乾燥機２０の背面と浴室の壁面との間に数ｍｍ程度の隙間Ｓが形成された状態で、浴室暖房乾燥機２０が浴室の壁面に取り付けられるようになっている。なお、このようにして、浴室暖房乾燥機２０と浴室の壁面との間に形成された隙間Ｓから浴室内の空気が吸い込まれ、浴室壁面における浴室暖房乾燥機２０の取付領域内に形成された換気穴を通して屋外に排気される。
【００２４】
前記基板１１は、浴室暖房乾燥機２０の幅の約１／３強の幅を有しており、その中央部には、浴室の壁面に形成される換気穴の口径よりも大きい開口１１ａが形成されている。また、この取付板１は、図８に示すように、浴室暖房乾燥機２０の幅方向の中央部、即ち、浴室の壁面における浴室暖房乾燥機２０の取付領域ＥＡの中央部に固定設置されるようになっており、浴室暖房乾燥機２０の取付領域ＥＡ内には、同図に斜線で示すように、基板１１に形成された開口１１ａ内及び取付板１を挟んでその左右両側に換気穴の形成領域が確保されるようになっている。
【００２５】
前記基板１１には、図１（ａ）に示すように、その四隅に、浴室の壁面にビス止めするための複数のビス孔１１ｂが形成されており、各ビス孔１１ｂは全て縦長に形成されている。従って、この取付板１を浴室の壁面にビス止めする際、そのビス止め位置が多少ずれても、縦長に形成されたビス孔１１ｂの範囲内で取付板１を適宜上下方向にずらすことによって、取付板１を浴室の壁面に水平に固定することができる。
【００２６】
以上のように構成された取付板１を用いて、浴室暖房乾燥機２０を浴室の壁面に取り付ける方法について、以下に説明する。まず、屋外の状況及び浴室内の状況を確認して、図９に示すように、浴室の壁面における浴室暖房乾燥機２０の取付領域ＥＡを決定した後、その決定された浴室暖房乾燥機２０の取付領域ＥＡ内に換気穴ＥＨを形成する。その形成位置は、同図に実線で示すように、浴室暖房乾燥機２０の本体ケース２１の背面に形成された引出穴２１ａに対応した正規の位置、即ち、浴室の壁面に固定する取付板１の右下側に形成するのが最も好ましいが、屋外の状況等によって正規の位置に換気穴ＥＨを形成することができないときは、同図に二点差線で示すように、正規の位置の上方または取付板１に形成された開口１１ａ内や取付板１の左側に形成すればよい。
【００２７】
このようにして浴室の壁面に換気穴ＥＨを形成すると、この換気穴ＥＨに換気パイプを挿通固定することになるが、その際は、図１０（ａ）に示すように、換気パイプＥＰの浴室側の端部を、鍔部３２を有するゴムブッシュ３１に差し込んだ状態でアルミニウムテープＡＴを巻き付けることによって両者を固定し、ゴムブッシュ３１の鍔部３２の内面側の基端部全周にシール材ＳＭを塗布した状態で、同図（ｂ）に示すように、換気穴ＥＨに挿通固定することによって、浴室の壁面における換気穴ＥＨの周縁部分とゴムブッシュ３１の鍔部３２とをシールする。これによって、浴室内の湿度の高い空気を屋外に排気する際、その空気の換気穴ＥＨから外壁内への侵入が防止される。
【００２８】
続いて、図１１に示すように、基板１１部分を浴室の壁面にビス止めすることによって、浴室暖房乾燥機２０の取付領域ＥＡ内の所定位置（幅方向の中央部）に取付板１を固定した後、この取付板１を介して浴室暖房乾燥機２０を浴室の壁面に取り付けることになるが、以下の作業については、換気穴ＥＨが正規の位置に形成されている場合と、それ以外の位置に形成されている場合とに分けて説明する。なお、図１１では、正規の位置に換気穴ＥＨが形成された状態を示している。
【００２９】
まず、換気穴ＥＨが正規の位置に形成されている場合は、ケース底部材２２を取り外した状態で、取付板１の係止爪１２を浴室暖房乾燥機２０の本体ケース２１の背面上部に形成された差込穴２１ｅに差し込むことによって、浴室暖房乾燥機２０を取付板１の係止爪１２に引っかけた状態で、取付板１の固定片１３に本体ケース２１の下端部をビス止めすることによって、浴室暖房乾燥機２０を取付板１に完全に固定した後、ケース底部材２２を本体ケース２１に取り付けることによって、そのビス止め部及び本体ケース２１に対するフロントカバー２７のビス止め部を隠蔽する（図１２参照）。なお、この状態では、図１２に示すように、換気パイプＥＰに取り付けられたゴムブッシュ３１の鍔部３２に形成された突起３３が本体ケース２１の背面に当接しているので、浴室の壁面にシールされているゴムブッシュ３１の鍔部３２が浴室の壁面から離反することがなく、シール切れの発生が確実に阻止されるようになっている。
【００３０】
その後、図６に示すように、フロントカバー２７のフロントグリル部２９を開くことによって作業スペースを開放し、本体カバー２８に形成された作業用開口２８ｂ内で、接続チューブＨＣを熱交換器２３の温水コイルに接続すると共に、この接続チューブＨＣを電源線等の電線類ＥＷと共に本体ケース２１の背面に形成された引出穴２１ａ及びその引出穴２１ａに対応する正規の位置に端部が開放されている換気パイプＥＰを通して屋外に引き出した後、フロントグリル部２９を閉じると、浴室暖房乾燥機２０の浴室壁面への取付が完了する。
【００３１】
一方、換気穴ＥＨが正規の位置に形成されていない場合は、浴室暖房乾燥機２０を取付板１に取り付ける前に、フロントカバー２７のフロントグリル部２９を開くことによって作業スペースを開放し、本体カバー２８に形成された作業用開口２８ｂ内で、接続チューブＨＣを熱交換器２３の温水コイルに接続した後、この接続チューブＨＣを電源線等の電線類ＥＷと共に本体ケース２１の背面に形成された引出穴２１ａから引き出しておく。
【００３２】
続いて、このようにして、接続チューブＨＣと電線類ＥＷとが機外（背面側）に引き出された浴室暖房乾燥機２０を、上述したように、浴室の壁面に固定された取付板１の係止爪１２に引っかけた後、図１３（ａ）、（ｂ）に示すように、浴室暖房乾燥機２０の下部を手前側に引き寄せて浴室の壁面との間にある程度のスペースを確保した状態で、本体ケース２１の背面側に引き出された接続チューブＨＣと電線類ＥＷとを本体ケース２１の背面に沿わせながら、換気穴ＥＨの形成位置まで導き、換気パイプＥＰ内を通して外部に引き出す。このとき、浴室暖房乾燥機２０の本体ケース２１の底面には、切欠部２１ｂが形成されているので、浴室暖房乾燥機２０の下部を手前側に少し引き寄せるだけで十分な作業スペースが確保され、接続チューブＨＣや電線類ＥＷの引出作業を効率よく行うことができる。
【００３３】
最後に、取付板１の固定片１３に本体ケース２１の下端部をビス止めした後、ケース底部材２２を取り付けることによって、本体ケース２１の底面に形成された切欠部２１ｂと、本体ケース２１に対するフロントカバー２７のビス止め部及び取付板１に対する本体ケース２１のビス止め部とを隠蔽した後、フロントグリル部２９を閉じると、浴室暖房乾燥機２０の浴室壁面への取付が完了する。
【００３４】
また、浴室の壁面に形成された既設の換気口を利用する場合は、取付板１に形成された開口１１ａ内または取付板１を挟んでその左右両側のいずれかの領域内に既設の換気口が位置するように浴室暖房乾燥機２０の取付位置を決定し、その換気口に対して所定の処理を施した後、上述したような方法により、取付板１を用いて浴室暖房乾燥機２０を浴室の壁面に取り付ける。なお、既設の換気口を利用する場合も、接続チューブＨＣ及び電線類ＥＷの引出作業性を考慮すると、できるだけ換気穴の正規の形成領域付近に既設の換気口が位置するように、浴室暖房乾燥機２０の取付位置を設定しておくことが望ましい。
【００３５】
以上のように、この取付板１を使用すると、取付板１に形成された開口１１ａ内または取付板１を挟んでその左右両側のいずれかの領域内に換気穴ＥＨを形成することができるので、換気穴ＥＨの形成位置の自由度が広がり、浴室暖房乾燥機２０の取付施工性が向上すると共に、既設の換気口を利用する場合は、取付板１に形成された開口１１ａ内または取付板１を挟んでその左右両側のいずれかの領域内に既設の換気口が位置するように、浴室暖房乾燥機２０の取付位置を設定することができるので、浴室暖房乾燥機２０の取付位置の自由度が広がり、既設の換気口を最大限に活用することができる。
【００３６】
また、この取付板１は、複数のピースに分割されているわけではないので、浴室の壁面に取り付ける際の施工性が悪くなることもなく、基板１１は、形成された開口１１ａの周囲が完全に繋がっているので、十分な強度を確保することができ、取付板１を取り扱う際に変形しにくいという効果も得られる。
【００３７】
なお、上述した実施形態では、開口１１ａが形成された基板１１の幅を狭くすることによって、取付板１の左右両側に換気穴ＥＨの形成領域を確保するようにしたが、これに限定されるものではなく、幅の広い基板に大きな開口を形成することによっても、十分に効果を発揮することができる。
【００３８】
また、上述した実施形態では、基板１１に形成された縦長のビス孔１１ｂを形成しているが、これに限定されるものではなく、横長または丸形のビス孔を形成したものであってもよい。ただし、ビス孔を縦長にすることによって、取付板の固定作業性が向上することは上述したとおりである。
【００３９】
また、上述した実施形態では、フロントグリル部２９が開閉可能なフロントカバー２７を備えていると共に、本体ケース２１の底面に形成された切欠部２１ｂを着脱自在のケース底部材２２によって隠蔽するようにした浴室暖房乾燥機２０を浴室の壁面に取り付ける場合について説明したが、本発明の取付板を用いて浴室の壁面に取り付ける浴室暖房機は、こういったものに限定されるものではなく、屋外に換気ファンユニットを設置するタイプであれば、種々の浴室暖房機に対して、同様の効果を発揮することはいうまでもない。
【００４０】
また、上述した実施形態では、屋外に換気ファンユニットを別途設置するタイプの浴室暖房乾燥機を、浴室の壁面に取り付ける場合について説明したが、本発明の取付板は、換気ファンが搭載された浴室暖房乾燥機を浴室の壁面に取り付ける場合にも使用することができることはいうまでもない。
【図面の簡単な説明】
【図１】（ａ）はこの発明にかかる浴室暖房乾燥機の取付板を示す正面図、（ｂ）は同上の取付板を示す側面図である。
【図２】（ａ）は同上の浴室暖房乾燥機を示す正面図、（ｂ）は同上の浴室暖房乾燥機を示す側面図、（ｃ）は同上の浴室暖房乾燥機を示す底面図である。
【図３】同上の浴室暖房乾燥機におけるフロントカバーを取り外した状態を示す正面図である。
【図４】（ａ）は同上の浴室暖房乾燥機におけるケース底部材を取り外した状態を示す底面図、（ｂ）はその正面図である。
【図５】（ａ）は同上のケース底部材を示す正面図、（ｂ）は同上のケース底部材を示す底面図、（ｃ）は同上のケース底部材を示す側面図である。
【図６】（ａ）は同上の浴室暖房乾燥機におけるフロントグリル部を開いた状態を示す正面図、（ｂ）はその側面図である。
【図７】同上の浴室暖房乾燥機を同上の取付板を介して浴室の壁面に取り付けた状態を示す側面図である。
【図８】同上の浴室暖房乾燥機の取付領域内における同上の取付板の固定位置を示す概略図である。
【図９】同上の取付板を用いた同上の浴室暖房乾燥機の取付作業を示す工程図である。
【図１０】（ａ）、（ｂ）は  同上の取付板を用いた同上の浴室暖房乾燥機の取付作業を示す工程図である。
【図１１】同上の取付板を用いた同上の浴室暖房乾燥機の取付作業を示す工程図である。
【図１２】同上の取付板を用いた同上の浴室暖房乾燥機の取付作業を示す工程図である。
【図１３】（ａ）、（ｂ）は正規の位置に換気穴が形成されていない場合における同上の取付板を用いた同上の浴室暖房乾燥機の取付作業を示す工程図である。
【図１４】（ａ）は換気ファンが搭載された浴室暖房乾燥機の取付板を示す正面図、（ｂ）は同上の取付板を示す側面図である。
【図１５】同上の浴室暖房乾燥機と同上の取付板との相対位置関係を説明するための説明図である。
【図１６】（ａ）、（ｂ）は同上の取付板を用いた同上の浴室暖房乾燥機の取付作業を示す工程図である。
【符号の説明】
１  取付板
１１  基板
１１ａ  開口
１１ｂ  ビス孔
１２  係止爪
１３  固定片
２０  浴室暖房乾燥機
２１  本体ケース
２１ａ  引出穴
２１ｂ  切欠部
２１ｅ  差込穴
２２  ケース底部材
２７  フロントカバー
２８  カバー本体
２８ｂ  作業用開口
２９  フロントグリル部
３１  ゴムブッシュ
３２  鍔部
３３  突起
ＥＡ  浴室暖房乾燥機の取付領域
ＥＨ  換気穴
ＥＰ  換気パイプ
ＥＷ  電線類
ＨＣ  接続チューブ
【図１】
0003747801.tif 000002
【図２】
0003747801.tif 000003
【図３】
0003747801.tif 000004
【図４】
0003747801.tif 000005
【図５】
0003747801.tif 000006
【図６】
0003747801.tif 000007
【図７】
0003747801.tif 000008
【図８】
0003747801.tif 000009
【図９】
0003747801.tif 000010
【図１０】
0003747801.tif 000011
【図１１】
0003747801.tif 000012
【図１２】
0003747801.tif 000013
【図１３】
0003747801.tif 000014
【図１４】
0003747801.tif 000015
【図１５】
0003747801.tif 000016
【図１６】
0003747801.tif 000017